(57)【要約】 【課題】  様々な形状、サイズ、材質の多種多様な電子ロックを備えた不透明な薬箱に適用でき、高いセキュリティ性と操作性を保持した低コストの利用確認支援装置を提供すること。【解決手段】利用確認支援装置は、指紋認証装置３と電子ロック４を備えた不透明な薬箱と、前記薬箱内に配設された利用確認支援用電子装置２とで構成されている。利用確認支援用電子装置２は、薬箱の開閉を検出する光センサ２７、確認スイッチ２９、及び光センサ２７が開閉信号を発生したときにその時刻を利用時刻としてＲＡＭ２２に記憶し確認スイッチ２９から確認信号が入力されたときにはＲＡＭ２２に記憶されている利用時刻を読み出して液晶表示器２６に表示させる利用時刻記憶表示部と、これら構成部品を収納する専用のカード型プラスチック製ケースとで構成されている。【選択図】  図１
2008156982.tif 000002
【特許請求の範囲】
【請求項１】
電子ロックを備えた不透明な貴重品収納箱と、前記貴重品収納箱内に配設された利用確認支援用電子装置とから構成された利用確認支援装置であって、
前記利用確認支援用電子装置は、貴重品収納箱の開閉を検出する光センサ、確認スイッチ、及び前記光センサが開閉信号を発生したときにその時刻を利用時刻として記憶部に記憶し且つ前記確認スイッチから確認信号が入力されたときには前記記憶部に記憶されている利用時刻を読み出して液晶表示器に表示させる利用時刻記憶表示部と、これら構成部品を収納する専用のカード型ケースとで構成されていることを特徴とする利用確認支援装置。
【請求項２】
前記貴重品収納箱が生体情報センサの検出信号の認証結果によって解錠する電子ロックを備えた貴重品収納箱であることを特徴とする請求項１に記載の利用確認支援装置。
【請求項３】
前記貴重品収納箱が薬箱であることを特徴とする請求項１又は２に記載の利用確認支援装置。
【請求項４】
前記利用確認支援用電子装置は前記利用時刻が記憶されたときには前記電子ロックを施錠させる施錠指令を発生することを特徴とする請求項１から３のいずれかに記載の利用確認支援装置。
【請求項５】
前記利用確認支援用電子装置は利用者が前記貴重品収納箱を閉じ忘れたときには所定時間経過後に前記電子ロックを施錠させる施錠指令を発生することを特徴とする請求項１から３のいずれかに記載の利用確認支援装置。
【請求項６】
前記利用確認支援用電子装置は、利用者が確認スイッチを操作したときには利用時刻を記憶しないことを特徴とする請求項１から５のいずれかに記載の利用確認支援装置。
【請求項７】
前記生体情報センサは指紋センサであることを特徴とする請求項２又は３に記載の利用確認支援装置。
【発明の詳細な説明】
【技術分野】
【０００１】
本発明は、電子ロックを備えた貴重品収納箱、特に電子ロックを備えた薬箱の利用確認支援装置に関する。
【背景技術】
【０００２】
特許文献１に開示の服薬確認支援装置は、貴重品収納箱の利用確認支援装置の代表的なものである。前記服薬確認支援装置の利用者は、薬を服用したかどうか不安になったときに確認ボタンを押すと、記憶部に記憶されている薬箱利用時刻が表示器に表示されるので、簡単確実に服薬したことを思い出せる装置である。前記薬箱利用時刻は、薬箱に備えた蓋開閉センサの開閉信号が発生した時刻であるから、利用者は薬箱を利用するときの必然的な行為である蓋の開閉を行うだけで自動的に記憶される。従って、簡単確実に薬箱の利用を確認することができる。この服薬確認支援装置は非特許文献１に開示されている通り天然木製高級家具調電子薬箱として商品化されている。
【０００３】
服薬確認支援装置は食卓やその近くの棚などに常に目に付くように置くことが望ましいものであるから、利用者本人だけでなく、他の人が薬箱の蓋を開けることもありうる。他の人が小さな子供であれば、薬の誤飲という重大な事故をもたらす危険がある。
【０００４】
特許文献２には、電子ロックを備えた薬箱に適用された服薬確認支援装置が記載されている。この服薬確認支援装置は、患者が処方箋で指定された服薬禁止時間内に処方薬を複数回服用すること、いわゆる二度飲みを防止することができる。また、特許文献３には、指紋認証によって利用者を認識して解錠する電子ロックを備えた貴重品収納箱が記載されている。この貴重品収納箱を薬箱とすれば、上述の利用者以外の人の予期しない利用を阻止できる服薬確認支援装置を実現することが可能である。しかも、指紋などの生体情報を認証して電子ロックを解錠するものであるから、セキュリティ性も操作性も高い貴重品収納箱である。従って、指紋認証によって利用者を認識して解錠する電子ロックを備えた貴重品収納箱は、高齢の利用者にとって最適の薬箱となりうる。
【０００５】
上述の特許文献２や特許文献３に記載されているような電子ロック付貴重品収納箱は、形状、サイズ、材質は多種多様である。しかも、貴重品収納箱は簡単に破壊されないような材料で強固に製作されている。従って、このような貴重品収納箱を用い、特許文献１に記載されているような服薬確認支援装置を実現することは殆ど不可能である。このような貴重品収納箱に、液晶表示パネルを組み込む表示窓や設定スイッチや確認スイッチなどの操作ボタン用貫通穴を開けることは殆ど不可能であるからである。
【特許文献１】特許第３３０８９７２号公報
【特許文献２】特開２００３−２３５９４２
【特許文献３】特開２００５−１８５６２８
【非特許文献１】日刊工業新聞  ２００３年１月２４日  「電子薬箱／薬の飲み忘れ防げます／時刻など記憶、点滅表示」
【発明の開示】
【発明が解決しようとする課題】
【０００６】
本発明が解決しようとする第１の課題は、様々な形状、サイズ、材質の多種多様な電子ロックを備えた不透明な貴重品収納箱に適用できる低コストの利用確認支援装置を提供することである。
本発明が解決しようとする第２の課題は、様々な形状、サイズ、材質の多種多様な電子ロックを備えた不透明な薬箱に適用でき、高いセキュリティ性と操作性を保持した低コストの利用確認支援装置を提供することである。
【課題を解決するための手段】
【０００７】
上記第１の課題を解決する利用確認支援装置を、電子ロックを備えた不透明な貴重品収納箱と、前記貴重品収納箱内に配設された利用確認支援用電子装置とで構成した。そして、前記利用確認支援用電子装置を、貴重品収納箱の開閉を検出する光センサ、確認スイッチ、及び前記光センサが開閉信号を発生したときにその時刻を利用時刻として記憶部に記憶し前記確認スイッチから確認信号が入力されたときには前記記憶部に記憶されている利用時刻を読み出して液晶表示器に表示させる利用時刻記憶表示部と、これら構成部品を収納する専用のカード型プラスチック製ケースとで構成した。
【０００８】
上記第２の課題を解決する利用確認支援装置を、生体情報センサの検出信号の認証結果によって解錠する電子ロックを備えた不透明な薬箱と、前記薬箱内に配設された利用確認支援用電子装置とで構成した。そして、前記利用確認支援用電子装置を、薬箱の開閉を検出する光センサ、確認スイッチ、及び前記光センサが開閉信号を発生したときにその時刻を利用時刻として記憶部に記憶し前記確認スイッチから確認信号が入力されたときには前記記憶部に記憶されている利用時刻を読み出して液晶表示器に表示させる利用時刻記憶表示部と、これら構成部品を収納する専用のカード型プラスチック製ケースとで構成した。
【発明の効果】
【０００９】
本発明により、電子ロックを備えた不透明な貴重品収納箱に表示パネル用窓やボタン用貫通穴を開けるなどの特別な加工を施すことなく、利用確認支援装置を簡単に構成することができるようになった。利用確認支援装置の利用確認支援用電子装置を専用のカード型プラスチック製ケースを備えるカードモジュールとして構成し、電子ロックを備えた不透明な貴重品収納箱と別体のものとしたからである。また、利用確認支援用電子装置はカードモジュールであるから、不透明な貴重品収納箱内に簡単に設置することができる。従って、本発明により、様々な形状、サイズ、材質の多種多様な電子ロックを備えた不透明な貴重品収納箱に適用可能な低コストの利用確認支援装置が提供できた。
【００１０】
また、生体情報センサの検出信号の認証結果によって解錠する電子ロックを備えた不透明な薬箱に適用された本発明に係る利用確認支援装置は、様々な形状、サイズ、材質の多種多様な薬箱に適用可能で低コストであるだけでなく、高いセキュリティ性と操作性が損なわれることがないものである。即ち、前記利用確認支援装置は、利用者が服薬する際の必然的行為、即ち、生体認証のために指などを生体情報センサに載せる、薬箱の蓋を開ける、薬箱から薬を取り出す、薬を服用する、薬箱の蓋を閉めるという一連の行為の他に何ら特別な行為をすることなく、薬箱を開閉した時刻を利用時刻として自動的に記憶するものである。
【００１１】
また、前記利用確認支援装置を利用すれば、利用者以外の人は電子ロックを解錠することができないので、子供などが薬を誤って飲むような事故が防止される。更に、前記電子ロックは利用時刻が記憶された後は自動的に施錠されるので、高いセキュリティ性は保持され、しかも利用者にとって解錠後の施錠行為が不要であるという操作性の良さもある。
【発明を実施するための最良の形態】
【００１２】
本発明は、電子ロックを備えた不透明な貴重品収納箱と、前記貴重品収納箱内に配設された利用確認支援用電子装置とから構成された利用確認支援装置であって、前記利用確認支援用電子装置は、貴重品収納箱の開閉を検出する光センサ、確認スイッチ、及び前記光センサが開閉信号を発生したときにその時刻を利用時刻として記憶部に記憶し且つ前記確認スイッチから確認信号が入力されたときには前記記憶部に記憶されている利用時刻を読み出して液晶表示器に表示させる利用時刻記憶表示部と、これら構成部品を収納する専用のカード型プラスチック製ケースとで構成されていることを特徴とする利用確認支援装置である。
【実施例１】
【００１３】
本発明の実施例１は、図１の斜視図、図３の断面図、図４のブロック回路図に示す如く、指紋認証装置３と指紋認証によって解錠する電子ロック４を備えた不透明な薬箱１に利用確認支援用電子装置２を組み付けて構成した利用確認支援装置である。不透明な薬箱１は、薬箱本体１ａに蓋１ｂが蝶番１ｃによって開閉可能に取り付けられたものである。
【００１４】
電子ロック４は、図４のブロック回路図に示す如く、電子ロック駆動回路４１とロック機構４２ケースとで構成されている。図１と図３に示す如く、電子ロック駆動回路４１とロック機構４２はケース４ｂ内に収納され、不透明な薬箱１の蓋１ｂの正面側面に固着されている。ロック機構４２は駆動ロッド４２ａを備え、駆動ロッド４２ａの受けは不透明な薬箱１の薬箱本体１ａに固着されているケース４ａ内に設けられている。
【００１５】
指紋認証装置３は、図４のブロック回路図に示す如く、プログラムに従って各種の演算と制御を行うＣＰＵ３０、前記プログラムが記憶されたＲＯＭ３１、利用者の登録指紋情報等が記憶されるＲＡＭ３２、設定スイッチ３４、及び指紋センサ３７、及びこれらの構成部品等を収納するケース３ａとで構成されている。指紋認証装置３のケース３ａは、中央部の表面に指載置面３７ａが形成されている。指紋認証装置３のケース３ａは、不透明な薬箱１の蓋１ｂの上面の固着されている。
【００１６】
利用確認支援用電子装置２は、図４のブロック回路図に示す如く、薬箱の開閉を検出する光センサ２７、確認スイッチ２９、及び利用時刻記憶表示部を専用のカード型プラスチック製ケース２ａに収納して構成されている。前記利用時刻記憶表示部は、プログラムに従って各種の演算と制御を行うＣＰＵ２０、前記プログラムが記憶されたＲＯＭ２１、利用時刻などのデータが記憶されるＲＡＭ２２、時刻を計時する計時部２３、時刻等設定を行う設定スイッチ２４、表示器駆動回路２５、液晶表示器２６、光センサ２７、電池２８、及び確認スイッチ２９とで構成されている。
【００１７】
また、利用確認支援用電子装置２は、図２の斜視図に示す如く、不透明なカード型プラスチックケース２ａに図４に示す各種部品が収納されて構成されたものである。光センサ２７は例えばフォトトランジスタが用いられ、不透明なカード型プラスチックケース２ａのセンサ窓２７ａの対応する位置に配置されている。設定スイッチ２４と確認スイッチ２９は、センサ窓２７ａと同じ面に操作ボタン２４ａと操作ボタン２９ａが配置されるようにして不透明なカード型プラスチックケース２ａに取り付けられている。液晶表示器２６の液晶表示パネル２６ａと電池蓋２８ａも、センサ窓２７ａと同じ面に配置されている。
【００１８】
利用確認支援用電子装置２は上述の如くカード型装置であるので、様々な形状、サイズ、材質の多種多様な電子ロックを備えた不透明な貴重品収納箱に簡単に適用することが可能である。例えば、図１においては、カード型利用確認支援用電子装置２を、その裏面を薬箱１の蓋１ｂの裏側に接着して取り付けられている。或いは、カード型利用確認支援用電子装置２を、その裏面を薬箱１の薬箱本体１ａの内側面に接着して取り付けることも可能である。
【００１９】
ところで、利用確認支援用電子装置２の開閉センサとしてセンサロッドを備えたオンオフスイッチを採用した場合、利用確認支援用電子装置２を薬箱１の薬箱本体１ａに取り付けるのは結構面倒である。前記オンオフスイッチのセンサロッドの先端が薬箱１の蓋１ｂの裏面で操作されるように、カード型利用確認支援用電子装置を薬箱１の薬箱本体１ａ内に高さを調節して配置しなければならないからである。本発明においては、開閉センサとしてフォトトランジスタを採用して利用確認支援用電子装置２を構成しているので、上述の如き面倒さは一切ない。
【００２０】
（服薬行為）
電子ロック付き薬箱を利用する場合における実施例１の利用確認支援装置の処理の流れは図５の如くである。即ち、利用者が薬箱１の上に配置されている指紋センサ３７のセンサ面３７ａに指を置くと、指紋認証装置３のＣＰＵ３０は、ＲＯＭ３１に記憶されているプログラムに従って、指紋センサ３７からの指紋情報の入力を検出し（１０１）、入力された指紋情報をＲＡＭ３２に記憶する（１０２）。続いて、ＣＰＵ３０は、ＲＯＭ３１に記憶されているプログラムに従って、ＲＡＭ３２から入力指紋情報を読み出し（１０３）、続いてＲＡＭ３２に予め記憶されている利用者の登録指紋情報を読み出し（１０４）、これら２つの情報を比較する（１０５）。ステップ１０５の比較の結果、入力指紋情報が登録指紋情報と一致しなかった場合には、最初のステップ（１０１）に戻る。ステップ１０５の比較の結果、入力指紋情報が登録指紋情報と一致した場合には、指紋認証装置３のＣＰＵ３０は、電子ロック４の電子ロック駆動回路４１を制御して、ロック機構４２を解錠する（１０６）。
【００２１】
そこで、利用者が電子ロック付き薬箱１の蓋１ｂを開けると、利用確認支援用電子装置２のＣＰＵ２０は、ＲＯＭ２１に記憶されているプログラムに従って、開閉センサである光センサ２７の開信号の入力を検出し（１０７）、表示器駆動回路２５を制御して液晶表示器２６に現在時刻を表示させ（１０８）、確認信号の有無を判定する（１０９）。    
【００２２】
薬箱１の蓋１ｂを開けた利用者は、薬箱本体１ａから服用する薬を取り出した後に、蓋１ｂを閉める。この場合には、利用者は確認スイッチ２９を操作しないので、ステップ１０９の判定結果はＮＯであり、利用確認支援用電子装置２の処理の流れはステップ１１０に進む。
【００２３】
利用者が電子ロック付き薬箱１の蓋１ｂを閉めると、利用確認支援用電子装置２のＣＰＵ２０は、ＲＯＭ２１に記憶されているプログラムに従って、開閉センサである光センサ２７の閉信号の入力を検出し（１１０）、前記閉信号の発生時刻を服薬時刻、即ち薬箱の利用時刻としてＲＡＭ２２に記憶させ（１１１）、施錠指令を発生し（１１２）、これを指紋認証装置３のＣＰＵ３０に与える。利用確認支援用電子装置２のＣＰＵ２０から施錠指令が入力されると、指紋認証装置３のＣＰＵ３０は電子ロック４の電子ロック駆動回路４１を制御してロック機構４２を施錠する（１１３）。
【００２４】
（利用時刻の確認行為）
服薬したこと、従って薬箱１を利用したことを確認する場合における実施例１の利用確認支援装置の処理の流れは図５の如くである。即ち、利用者が指紋センサ３７のセンサ面３７ａに指を置くと、指紋認証装置３のＣＰＵ３０は、ＲＯＭ３１に記憶されているプログラムに従って、指紋センサ３７からの指紋情報の入力を検出し（１０１）、入力された指紋情報をＲＡＭ３２に記憶する（１０２）。続いて、ＣＰＵ３０は、ＲＯＭ３１に記憶されているプログラムに従って、ＲＡＭ３２から入力指紋情報を読み出し（１０３）、続いてＲＡＭ３２に予め記憶されている利用者の登録指紋情報を読み出し（１０４）、これら２つのデータを比較する（１０５）。ステップ１０５の比較の結果、入力指紋情報が登録指紋情報と一致しなかった場合には、最初のステップ（１０１）に戻る。ステップ１０５の比較の結果、入力指紋情報が登録指紋情報と一致した場合には、指紋認証装置３のＣＰＵ３０は、電子ロック４の電子ロック駆動回路４１を制御してロック機構４２を解錠する（１０６）。
【００２５】
そこで、利用者が電子ロック付き薬箱１の蓋１ｂを開けると、利用確認支援用電子装置２のＣＰＵ２０は、ＲＯＭ２１に記憶されているプログラムに従って、開閉センサである光センサ２７の開信号の入力を検出し（１０７）、表示器駆動回路２５を制御して液晶表示器２６に現在時刻を表示させる（１０８）。  
【００２６】
ここで利用者が確認スイッチ２９を操作すると、利用確認支援用電子装置２のＣＰＵ２０は、ＲＯＭ２１に記憶されているプログラムに従って、確認スイッチ２９の確認信号の入力を検出し（１０９）、ＲＡＭ２２に記憶されている利用時刻を読み出し（１１４）、表示器駆動回路２５を制御して液晶表示器２６に現在時刻を表示させる（１１５）。
【００２７】
ステップ１１７に続いて、ＣＰＵ２０は閉信号の有無を判定する（１１６）。利用者が電子ロック付き薬箱１の蓋１ｂを閉めると、利用確認支援用電子装置２のＣＰＵ２０は、ＲＯＭ２１に記憶されているプログラムに従って、開閉センサである光センサ２７の閉信号の入力を検出し（１１６）、施錠指令を発生し（１１２）、これを指紋認証装置３のＣＰＵ３０に与える。利用確認支援用電子装置２のＣＰＵ２０から施錠指令が入力されると、指紋認証装置３のＣＰＵ３０は電子ロック４の電子ロック駆動回路４１を制御してロック機構４２を施錠する（１１３）。このように、利用時刻の確認行為のために薬箱を開けた場合には、利用時刻の記憶は行わないようにする。しかしながら、薬箱を開けた場合には、全て利用時刻の記憶を行うようにすることもできる。
【００２８】
（解錠したが蓋を開けなかった場合）
指紋認証をした後に、利用者が薬箱１の蓋１ｂを開けなかった場合には、利用確認支援用電子装置２は所定時間経過後に直ちに電子ロックを施錠させる施錠指令を発生する。即ち、蓋１ｂを開けなかった場合はステップ１０７の判定結果はＮＯであり、利用確認支援用電子装置２のＣＰＵ２０は所定時間、例えば３分間が経過したか否かを判定し（１１７）、ＹＥＳならば施錠指令を発生し（１１２）、これを指紋認証装置３のＣＰＵ３０に与える。利用確認支援用電子装置２のＣＰＵ２０から施錠指令が入力されると、指紋認証装置３のＣＰＵ３０は電子ロック４の電子ロック駆動回路４１を制御してロック機構４２を施錠する（１１３）。
【００２９】
以上、電子錠を備えた貴重品収納箱として図２〜図３に示す如き薬箱、即ち蝶番によって蓋に開閉を行う薬箱に、カード型利用確認支援用電子装置を適用して構成した利用確認支援装置の実施例について詳細に説明したが、本発明はこの実施例に限定されるものではない。例えば、電子錠を備えた貴重品収納箱は、実施例の収納箱に限らず、引出し型貴重品収納入れ、回動引出し型貴重品収納入れ、袋状貴重品収納入れであってもよい。また、電子錠を解錠する認証は指紋センサを用いたものが最適であるが、静脈認証などの他の生体認証も利用できる。
【図面の簡単な説明】
【００３０】
【図１】電子ロックを備えた不透明な薬箱に適用された実施例１の利用確認支援用装置のブロック回路図である。
【図２】実施例１の利用確認支援用装置の斜視図である。
【図３】利用確認支援用電子装置の斜視図である。
【図４】図１の蓋を閉じた状態の利用確認支援装置をＸ−Ｘ’で切断した断面図であって、（Ａ）は蓋を閉じた状態の断面図、（Ｂ）は蓋を開いた状態の断面図である。
【図５】実施例１の利用確認支援装置の処理の流れの一例を示したフローチャートであ
【符号の説明】
【００３１】
１  不透明な薬箱
１ａ  薬入れ本体
１ｂ  蓋
１ｃ  蝶番
２  利用確認支援用電子装置
２ａ  利用確認支援用電子装置のカード型プラスチック製ケース
３  指紋認証装置
３ａ  指紋認証装置のケース
４  電子ロック
４ａ  電子ロックの薬箱本体側ケース
４ｂ  電子ロックの薬箱蓋側ケース
２０  制御部
２１  ＲＯＭ
２２  ＲＡＭ
２３  計時部
２４  設定スイッチ
２４ａ  設定ボタン
２５  表示器駆動回路
２６  液晶表示器
２６ａ  液晶表示パネル
２７  光センサ
２７ａ  光センサ設置窓
２８  電池
２９ａ  電池蓋
２９  確認スイッチ
２９ａ  確認ボタン
３０  制御部
３１  ＲＯＭ
３２  ＲＡＭ
３４  設定スイッチ
３７  指紋センサ
３７ａ  指載置面
４１  電子ロック駆動回路
４２  ロック機構
４２ａ  ロック機構のロッド部
【図１】
2008156982.tif 000003
【図２】
2008156982.tif 000004
【図３】
2008156982.tif 000005
【図４】
2008156982.tif 000006
【図５】
2008156982.tif 000007